(57)【要約】【課題】送付する冊子の一部を見せることでアイキャッチ効果を高めると共に、封入された状態における内部での冊子の移動、冊子の脱落を防ぐことが可能な冊子封入物を提供する。【解決手段】外側用紙１０の右上端部、右下端部にあらかじめ切りかきを施した後、接着糊塗布部１４ａ、１４ｂに接着糊を塗布すると共に、仮接着糊塗布部１５ａ〜１５ｃ、１６ａ、１６ｂに仮接着糊を塗布しておく。そして、付属物３０を、裏側紙片１０ｂの内面に塗布された接着糊により貼り付けると共に、複数のページからなる冊子２０の裏表紙２２を、裏側紙片１０ｂの内面に塗布された仮接着糊により貼り付ける。最後に、折り線１２により外側用紙１０を二つ折りして接着糊により表側紙片１０ａと裏側紙片１０ｂを接着することにより冊子２０および付属物３０を封入した冊子封入物が得られる。【選択図】  図４
2005008234.tif 000002
【特許請求の範囲】
【請求項１】
複数のページからなる冊子を外側用紙に封入して形成される冊子封入物であって、
前記外側用紙は、折り線を介して切りかきを有する第１の紙片と、冊子を貼着するための第２の紙片に区分されてなり、
前記冊子の表紙もしくは裏表紙が前記第２の紙片の内面に仮留めされた状態で、前記外側用紙が二つ折りされて前記冊子を包むと共に、前記第１の紙片と前記第２の紙片の重ね合わされた一部が剥離可能に仮接着されてなることを特徴とする冊子封入物。
【請求項２】
複数のページからなる冊子を外側用紙に封入して形成される冊子封入物であって、
前記外側用紙は、折り線を介して型抜きを有する第１の紙片と、冊子を貼着するための第２の紙片に区分されてなり、
前記冊子の表紙もしくは裏表紙が前記第２の紙片の内面に仮留めされた状態で、前記外側用紙が二つ折りされて前記冊子を包むと共に、前記第１の紙片と前記第２の紙片の重ね合わされた一部が剥離可能に仮接着されてなることを特徴とする冊子封入物。
【請求項３】
前記第１の紙片に設けられた切りかきもしくは型抜きを通して、前記外側用紙により封入された冊子の一部が見える位置に前記冊子が仮留めされてなることを特徴とする請求項１または請求項２に記載の冊子封入物。
【請求項４】
前記第１の紙片と前記第２の紙片の重ね合わされた一部は、折り線以外の各三辺付近に各三辺に平行に設けられた仮接着糊塗布部であり、当該仮接着糊塗布部に塗布された仮接着糊により、前記第１の紙片と前記第２の紙片が仮接着されるものであることを特徴とする請求項１から請求項３のいずれかに記載の冊子封入物。
【請求項５】
前記外側用紙の内面又は外面の少なくとも一部に消費者への販促情報が印刷されていることを特徴とする請求項１から請求項４のいずれかに記載の冊子封入物。
【発明の詳細な説明】
【０００１】
【産業上の利用分野】
本発明は、冊子を封入した冊子封入物に関する。
【０００２】
【従来の技術】
従来より、カタログ、情報販促誌、広告媒体誌等の冊子を封筒に封入し、ＤＭ（ダイレクトメール）として送付することが行なわれている。
【０００３】
【発明が解決しようとする課題】
従来のＤＭ等においては、定型郵便サイズ封筒を用いるのが一般的で、十分なアイキャッチ効果が得られなかった。また、開封の手間を省き開封率を上げるために様々な工夫がなされている。一般的なのは、ミシン目により端部を切りとって開封する手法や、仮接着剤により剥離可能に接着された部分を剥離する手法である。従来、封筒内部に封入される冊子は固定されていないため、ミシン目を用いた場合、冊子がミシン目付近に移動してしまい、ミシン目による端部の切り取りが行ないづらいという問題がある。また、仮接着剤を用いた場合も、冊子が仮接着剤部分に当ることにより、郵送途中で剥離してしまうという問題がある。
【０００４】
一方、用紙を内部に封入した封書用フォーム等の技術もある（例えば、特許文献１参照）が、複数のページからなる冊子を封入することはできない。
【０００５】
【特許文献１】
実開昭６１−２０６４８４号公報
【０００６】
また、従来のＤＭでは、大きさの限られた封筒内に冊子を納めるために、冊子自体が折り畳んで封入されている。このため、ＤＭを受け取った消費者は、冊子にあまり興味を示さず、また冊子を読んだとしても、１回だけ読んで捨ててしまうことが多いという問題もある。
【０００７】
上記のような点に鑑み、本発明は、送付する冊子の一部を見せることでアイキャッチ効果を高めると共に、封入された状態における内部での冊子の移動、冊子の脱落を防ぐことが可能な冊子封入物を提供することを課題とする。
【０００８】
【課題を解決するための手段】
上記課題を解決するため、本発明による冊子封入物は、複数のページからなる冊子を外側用紙に封入して形成される冊子封入物であって、外側用紙は、折り線を介して切りかきを有する第１の紙片と、冊子を貼着するための第２の紙片に区分されてなり、冊子の表紙もしくは裏表紙が前記第２の紙片の内面に仮留めされた状態で、外側用紙が二つ折りされて冊子を包むと共に、第１の紙片と第２の紙片の重ね合わされた一部が剥離可能に仮接着された構成とすることを特徴とする。
本発明の冊子封入物によれば、複数のページからなる冊子を、切りかきもしくは型抜きを有する外側用紙の内部に仮接着して封入して形成されるので、封入された状態で冊子の一部を見せることにより、消費者のアイキャッチ効果を高めることが可能であると共に、冊子を仮留めすることにより、冊子のデザインと切りかきもしくは型抜きの位置合わせができ、また、切りかきもしくは型抜きから冊子が脱落することを防止することができる。
【０００９】
【発明の実施の形態】
以下、本発明の好適な実施形態について図面を参照して詳細に説明する。
（第１の実施形態）
図１は、本発明に係る冊子封入物の第１の実施形態を示す外観平面図である。このうち、図１（ａ）は表面、図１（ｂ）は裏面から見た状態を示している。本実施形態では、外側用紙１０内に冊子２０および付属物３０が封入されたものとなっている。外側用紙１０は１枚の用紙であるが、折り線１２により表側紙片１０ａと裏側紙片１０ｂに区分されており、この折り線１２により折り畳むことにより、表側紙片１０ａと裏側紙片１０ｂで冊子２０および付属物３０を包んでいる。図１（ａ）に示すように表側紙片１０ａの表面には、宛名欄１３が設けられており、送付先の住所、氏名等が記載されている。この宛名欄１３は、表側紙片１０ａに直接印刷することにより形成されていても良いし、別途作成されたラベルを貼り込むことにより形成されていても良い。本実施形態による冊子封入物では、表側紙片１０ａに切りかきが設けられているため、裏側紙片１０ｂに比べて、その面積が小さくなっている。このため、図１（ａ）に示したように、表面側から見ると内部の冊子２０および付属物３０の一部が見えるようになっている。
【００１０】
ここで、図１に示した冊子封入物を構成する外側用紙１０、冊子２０、付属物３０について説明しておく。図２は、本実施形態で用いる外側用紙１０の平面図である。このうち、図２（ａ）は折り畳んだときに内面、すなわち冊子２０および付属物３０と接触する側、図２（ｂ）は折り畳んだときに外面となる側から見た状態を示している。図２において、１１ａ〜１１ｆは、外側用紙端部、１４ａ、１４ｂは接着糊塗布部、１５ａ〜１５ｃおよび１６ａ、１６ｂは仮接着糊塗布部であり、１０〜１３の各符号は図１で示したものと同一である。接着糊塗布部１４ａ、１４ｂは、付属物３０固定用の接着糊を塗布するために裏側紙片１０ｂの内面に設けられた部分である。仮接着糊塗布部１５ａ〜１５ｃは、仮接着糊を塗布するために裏側紙片１０ｂの内面に設けられた部分であり、それぞれ裏側紙片１０ｂの折り線１２以外の三辺付近に各三辺に平行に設けられている。仮接着糊塗布部１５ａおよび１５ｂの右端は、折り線１２から距離Ｄを置いたところに設定されており、折り線１２まで仮接着糊が塗布されないようにしている。距離Ｄとしては、適宜設定することができるが、例えば１ｃｍ程度とすることができる。また、折り線１２は、用紙のほぼ中央に設けられており、折り畳んだときに図１に示した状態となるようになっている。仮接着糊塗布部１６ａ、１６ｂは、冊子２０固定用の仮接着糊を塗布するために裏側紙片１０ｂの内面に設けられた部分である。本実施形態では、好ましい例として冊子２０固定用の仮接着糊塗布部を１６ａ、１６ｂの２箇所としているが、この数は１箇所であっても良いし、３箇所以上であっても良い。また、図２（ａ）に示した外側用紙１０の内面、図２（ｂ）に示した外側用紙１０の外面には、販促情報等の様々な情報の印刷がなされている。
【００１１】
図２に示した状態の外側用紙１０を得るためには、まず、用紙の内面・外面の両面に印刷を行い、その後、表側紙片１０ａの右上端と右下端の三角形状の部分をカットして切りかきを形成し、外側用紙１０を全体として六角形状にする。接着糊塗布部１４ａ、１４ｂに接着糊を塗布し、仮接着糊塗布部１５ａ〜１５ｃ、１６ａ、１６ｂに仮接着糊を塗布する。なお、外側用紙１０としては、封入する冊子が輸送中に折り曲がらない程度の剛性を有し、加工適正を満足する、１００〜１６０グラム／ｍ２の用紙を用いる。外側用紙１０は、ＰＰ（ポリプロピレン）加工したものであっても良い。また、接着糊塗布部１４ａ、１４ｂに塗布する接着糊としては、容易に剥離しないエマルジョン系の強接着性のものを用い、仮接着糊塗布部１５ａ〜１５ｃ、１６ａ、１６ｂに塗布する仮接着糊としては、消費者が容易に剥離可能なゴム系の弱接着性のものを用いる。接着糊塗布部１４ａ、１４ｂは容易に剥離可能なゴム系の弱接着性のものを用いても良い。接着糊、仮接着糊ともに、従来周知のものを適用することができる。
【００１２】
続いて、冊子および付属物について説明する。冊子２０は複数のページからなる従来周知のものである。本実施形態では、図示の簡略化のため、図３（ａ）に示すように、４枚構成としている。図３（ａ）において、２１は冊子の表表紙、２２は冊子の裏表紙である。付属物３０としては、仮接着糊塗布部１５ａ〜１５ｃ、１６ａ、１６ｂに掛からない大きさで、薄いものであれば、どのようなものであっても良い。本実施形態では、ＣＤ−ＲＯＭを付属物３０としている。図３（ｂ）はＣＤ−ＲＯＭを包んだ正方形状のケースを示している。
【００１３】
図２に示した外側用紙１０と、図３に示した冊子２０、付属物３０は、冊子封入物の製造工程において、図４（ａ）に示すような関係に、配置され貼着されることになる。具体的には、まず、裏側紙片１０ｂ内面の接着糊塗布部１４ａ、１４ｂに塗布された接着糊により、付属物３０が接着される。さらに、裏側紙片１０ｂ内面の仮接着糊塗布部１６ａ、１６ｂに塗布された仮接着糊により、冊子２０が接着される。このとき、図４（ａ）に示すように、冊子２０の表表紙２１を上に向けた状態て貼り合わされることになる。図４（ａ）は、冊子２０側から見た状態であるため、外側用紙１０と冊子２０を貼り合わせた部分が隠れているが、図４（ｂ）に示すＡ−Ａ線断面図から明らかなように、外側用紙１０と冊子２０は、仮接着糊塗布部１６ａ、１６ｂに塗布された仮接着糊により、冊子２０の裏表紙２２と仮接着される。この際、裏表紙２２の下方部分は、図４（ｃ）に示すＢ−Ｂ線断面図から明らかなように、付属物３０に重ねられることになる。なお、接着糊および仮接着糊は、上述のように、外側用紙１０側に塗布しておいた方が、製造工程上も簡略化できて好ましいが、付属物の裏側および冊子２０側の裏表紙２２に塗布しておき、外側用紙の裏側紙片１０ｂの内面と仮接着するようにしても良い。
【００１４】
続いて、図４（ａ）に示す状態から折り線１２を谷折りして外側用紙１０を二つに折り、外側用紙１０の左端１１ｂと右端１１ｅが一致するように折り畳む。これにより、仮接着糊塗布部１５ａ〜１５ｃ上の仮接着糊が外側用紙１０の表側紙片１０ａの内面の端部と仮接着し、図１に示したような冊子封入物が完成することになる。なお、接着糊塗布部１５ａ、１５ｂを折り線１２まで設けないことにより、折り線１２における折加工を行なう際に、折加工機のブレードに接着糊が付着しないという効果が生ずる。なお、仮接着糊塗布部１５ａ〜１５ｃは、表側紙片１０ａの内面側に設けておき、裏側紙片１０ｂの内面側と仮接着するようにしても良い。
【００１５】
以上のようにして、図１に示した状態の冊子封入物が完成したら、冊子封入物は、郵送、宅配便等の手段により、宛名に記載された消費者に届けられる。本発明による冊子封入物では、冊子２０が外側用紙１０の裏側紙片１０ｂの内面に仮接着糊により固定されているため、送付時の振動により冊子２０が内部で動くことがない。そのため、外側から見える冊子２０および付属物３０の一部は、常に同じものとなっており、全体の外観デザインを損なうことがない。また、切りかきから冊子２０や付属物３０が脱落することを防止している。さらに、内部で冊子２０が動いて仮接着糊塗布部１５ａ〜１５ｃの比較的接着力の弱い仮接着糊による接着部分を剥離させてしまうことがない。
【００１６】
冊子封入物が届いたら、消費者側では、表側紙片１０ａと裏側紙片１０ｂを剥離して開封する。仮接着糊塗布部１５ａ〜１５ｃに塗布された仮接着糊は接着力が弱いため、容易に剥離することができる。剥離した結果、冊子封入物は再び図４（ａ）に示したような状態となる。さらに、仮接着糊により仮留めされている冊子２０を外側用紙１０から分離する。付属物３０については、ケースが固定されているので、中身のＣＤ−ＲＯＭについては、ケースの四辺のいずれかに設けられた取り出し口から取り出すことができる。付属物３０が仮接着糊で仮留めされている場合は、ケースも容易に外側用紙１０から剥離することができる。
【００１７】
冊子２０は、折り畳まれていない状態で封入されていたので、そのまま、図３に示したような状態の冊子として保存することができる。そのため、消費者は、従来の折り畳まれた冊子に比べて、保存しておこうという気持ちがより高まることになる。また、冊子２０を分離した後の外側用紙１０においても、見開き全面が販促情報の印刷物としてより多くの情報を得ることができる。
【００１８】
（第２の実施形態）
続いて、第２の実施形態について説明する。図５は、本発明に係る冊子封入物の第２の実施形態を示す外観平面図である。このうち、図５（ａ）は表面、図５（ｂ）は裏面から見た状態を示している。第２の実施形態においても、第１の実施形態と同様の機能を果たす部分については、同一の符号を付して説明する。第２の実施形態が、第１の実施形態と異なるのは、外側用紙１０内に封入されるのが冊子２０のみである点と、切りかきの代わりに型抜きが設けられている点である。図５（ａ）に示すように表側紙片１０ａの表面には、型抜き１７、１８が設けられており、内部の冊子２０の一部が見えるようになっている。型抜きとは、表側紙片１０ａを貫通する開口部である。第２の実施形態では、宛名欄１３が裏側紙片１０ｂに設けられている。この宛名欄１３は、第１の実施形態同様、裏側紙片１０ｂに直接印刷することにより形成されていても良いし、別途作成されたラベルを貼り込むことにより形成されていても良い。
【００１９】
図６は、第２の実施形態で用いる外側用紙１０の平面図である。このうち、図６（ａ）は折り畳んだときに内面、すなわち冊子２０と接触する側、図６（ｂ）は折り畳んだときに外面となる側から見た状態を示している。図６において、１０〜１３、１５、１６の各符号は図２で示したものと同一である。特徴的なのは、表側紙片１０ａに型抜き１７、１８が設けられている点である。また、第１の実施形態と同様、図６（ａ）に示した外側用紙１０の内面、図６（ｂ）に示した外側用紙１０の外面には、販促情報等の様々な情報の印刷がなされている。
【００２０】
図６に示した状態の外側用紙１０を得るためには、まず、用紙の内面・外面の両面に印刷を行い、その後、表側紙片１０ａに対して抜き加工を行い、型抜き１７、１８を形成する。さらに、仮接着糊塗布部１５ａ〜１５ｃ、１６ａ、１６ｂに仮接着糊を塗布する。なお、外側用紙１０の材質、仮接着糊の組成については、第１の実施形態と同様である。
【００２１】
図６に示した外側用紙１０と、冊子２０は、冊子封入物の製造工程において、図７（ａ）に示すような関係に配置され貼着されることになる。具体的には、まず、裏側紙片１０ｂ内面の仮接着糊塗布部１６ａ、１６ｂに塗布された仮接着糊により、冊子２０が仮接着される。第２の実施形態においては、冊子２０の表表紙２１にクーポン券２３が設けられている。また、図７（ａ）におけるＥ−Ｅ線に沿う断面図を図７（ｂ）に、Ｆ−Ｆ線に沿う断面図を図７（ｃ）に、それぞれ示しておく。
【００２２】
続いて、図７（ａ）に示す状態から折り線１２を谷折りして外側用紙１０を二つに折り、外側用紙１０の左端１１ｂと右端１１ｅが一致するように折り畳む。これにより、仮接着糊塗布部１５ａ〜１５ｃ上の仮接着糊が外側用紙１０の表側紙片１０ａの内面の端部と仮接着し、図５に示したような冊子封入物が完成することになる。第２の実施形態においては、冊子封入時に冊子２０の表表紙２１に印刷された内容が外側から見えるように、印刷内容と型抜き１７、１８の位置合わせがあらかじめ行われている。そのため、図５に示したように、表表紙２１に印刷された「お得な情報がいっぱい！」という表現と、クーポン券２３に印刷された「割引！」という表現のように、消費者にとって、興味を引く内容が外側から見えることになり、消費者の開封意欲をそそることになる。
【００２３】
以上、本発明の好適な実施形態について説明したが、本実施形態は、上記実施形態に限定されず、種々の変形が可能である。例えば、上記第１の実施形態では、
表側紙片１０ａの上端と下端の三角形状部分が切り取られた、外側用紙１０が全体として六角形状のものとしたが、例えば、図８に示すように、表側紙片１０ａの上端の三角形状部分もしくは下端の三角形状部分を切り取られた、外側用紙１０が全体として五角形状のものとしても良い。このうち、図８（ａ）は、表側紙片１０ａの上端の三角形状部分が切り取られた形状の外側用紙１０を用いて作成された冊子封入物の表面側から見た状態を示す図であり、図８（ｂ）は、表側紙片１０ａの下端の三角形状部分が切り取られた形状の外側用紙１０を用いて作成された冊子封入物の表面側から見た状態を示す図である。
【００２４】
また、上記第１の実施形態では、付属物としてＣＤ−ＲＯＭを貼着するようにしたが、ＤＶＤ、ＦＤ等の他の記録媒体や、化粧品、医薬品等の商品サンプル等を貼着するようにしても良い。付属物は必ずしも外側用紙１０の内面に接着しなくても良く、そのままいれておくだけでも良い。特に、返信用ハガキ等の紙状の薄いものを付属品とする場合には、冊子の裏表紙と外側用紙の間に挟むことにより、付属物が裏表紙と外側用紙とが仮接着されることで発生する圧力で固定され、内部で動きづらくなり、仮接着糊塗布部１５に当って、仮接着された部分を剥離させてしまうことを防ぐことができる。
【００２５】
また、本発明は、上記第１、第２の実施形態に限定されず、外側用紙１０の周辺部の切りかき、および外側用紙１０の内部の型抜きは任意の位置に任意の形状で形成することが可能である。
【００２６】
また、上述のように、外側用紙の内面１０ｂには印刷がなされている。この印刷内容は、どのようなものであっても良いが、冊子２０を固定することにより、冊子２０の貼り込み位置に合わせた内容とすることができる。例えば、冊子２０の表表紙２１と連続した絵柄を外側用紙の内面１０ｂに印刷することが可能となる。特に上記第１の実施形態では、付属物３０を含めて連続した絵柄を印刷しても良い。
【００２７】
上記実施形態では、複数のページからなる冊子を外側用紙に封入するようにしたが、大きな紙片を折り畳んだものを外側用紙の内面に仮接着して封入するようにしても良い。
【００２８】
【発明の効果】
以上、説明したように本発明によれば、冊子封入物を、外側用紙と冊子で形成し、外側用紙は、折り線を介して切りかきを有する第１の紙片と、冊子を貼着するための第２の紙片に区分されてなり、冊子の表紙もしくは裏表紙が前記第２の紙片の内面に仮留めされた状態で、外側用紙が二つ折りされて冊子を包むと共に、第１の紙片と第２の紙片の重ね合わされた一部が剥離可能に仮接着された構成としたので、封入された状態で冊子の一部を見せることにより、消費者のアイキャッチ効果を高めることが可能であると共に、冊子を仮留めすることにより、冊子のデザインと切りかきもしくは型抜きの位置合わせができ、また、切りかきもしくは型抜きから冊子が脱落することを防止することができる。さらに、カタログ等の冊子を折り畳まずに封入することが容易となり、消費者が冊子を保存する意欲が高まることになる。
【図面の簡単な説明】
【図１】本発明に係る冊子封入物の第１の実施形態を示す外観平面図である。
【図２】第１の実施形態で用いる外側用紙の平面図である。
【図３】第１の実施形態において、封入される冊子および付属物を示す図である。
【図４】第１の実施形態において、外側用紙と冊子、付属物を貼り合わせた状態を示す図である。
【図５】本発明に係る冊子封入物の第２の実施形態を示す外観平面図である。
【図６】本発明第２の実施形態で用いる外側用紙の平面図である。
【図７】第２の実施形態において、外側用紙と冊子を貼り合わせた状態を示す図である。
【図８】第１の実施形態における変形例を示す外観平面図である。
【符号の説明】
１０・・・外側用紙
１０ａ・・・表側紙片（第１の紙片）
１０ｂ・・・裏側紙片（第２の紙片）
１１ａ〜１１ｆ・・・外側用紙端部
１２・・・折り線
１３・・・宛名欄
１４ａ、１４ｂ・・・接着糊塗布部
１５ａ〜１５ｃ・・・外側用紙接着用仮接着糊塗布部
１６ａ、１６ｂ・・・冊子仮留め用仮接着糊塗布部
２０・・・冊子
２１・・・表表紙
２２・・・裏表紙
２３・・・クーポン券
３０・・・付属物
【図１】
2005008234.tif 000003
【図２】
2005008234.tif 000004
【図３】
2005008234.tif 000005
【図４】
2005008234.tif 000006
【図５】
2005008234.tif 000007
【図６】
2005008234.tif 000008
【図７】
2005008234.tif 000009
【図８】
2005008234.tif 000010